【手続補正書】
【提出日】平成30年9月26日(2018.9.26)
【手続補正１】
【補正対象書類名】明細書
【補正対象項目名】０１３３
【補正方法】変更
【補正の内容】
【０１３３】
また、既述した実施形態について、本発明の教示内容を逸脱しない範疇でのさらなる変形例も考えられ得る。
以下、本発明に含まれる態様を記載する。
[態様１]  光インジケータ手段（４０；１４０）を備える、自転車の制御レバー（１０；１１０）において、さらに、前記制御レバー（１０；１１０）が、
内側の半シェル（３０，３１０，３２０；１３０，１３１０，１３２０）と、
外側の半シェル（２０；１２０）と、
を備えており、前記光インジケータ手段（４０；１４０）が、前記外側の半シェル（２０；１２０）と前記内側の半シェル（３０，３１０，３２０；１３０，１３１０，１３２０）との間に配置されており、前記外側の半シェル（２０；１２０）の少なくとも１つの領域（２８；１２８）が、前記光インジケータ手段（４０；１４０）の個所で、透明であることを特徴とする、制御レバー（１０；１１０）。
[態様２]  態様１に記載の制御レバー（１０；１１０）において、前記内側の半シェル（３０，３１０，３２０；１３０，１３１０，１３２０）が、前記外側の半シェル（２０；１２０）と少なくとも部分的にオーバラップしうる、制御レバー（１０；１１０）。
[態様３]  態様２に記載の制御レバー（１０；１１０）において、前記内側の半シェル（３０，３１０，３２０；１３０，１３１０，１３２０）および前記外側の半シェル（２０；１２０）が、それぞれ溝のかたちをしており、かつ、前記内側の半シェル（３０，３１０，３２０；１３０，１３１０，１３２０）が、前記外側の半シェル（２０；１２０）の前記溝内に収容されている、制御レバー（１０；１１０）。
[態様４]  態様１から３のいずれか一項に記載の制御レバー（１０；１１０）において、前記内側の半シェル（３０，３１０，３２０；１３０，１３１０，１３２０）が、第１の部位（３１０；１３１０）および第２の部位（３２０；１３２０）を含み、前記第１の部位と第２の部位とは、それぞれのオーバラップ領域（３１１，３１９；１３１１，１３１９）を有する制御レバー（１０；１１０）。
[態様５]  態様１から４のいずれか一項に記載の制御レバー（１０；１１０）において、さらに、前記光インジケータ手段（４０；１４０）の電源手段（５０；１５０）および／または駆動手段（６０；１６０）との、前記光インジケータ手段（４０；１４０）の電気／データ接続手段（４１，４３，４５；１４３，１４５）を備えており、
前記電気／データ接続手段（４１，４３，４５；１４３，１４５）が、前記オーバラップ領域（３１１，３１９；１３１１，１３１９）間に延在し且つこれらオーバラップ領域（３１１，３１９；１３１１，１３１９）から延出する端部セクション（４５；１４５）を有している、制御レバー（１０；１１０）。
[態様６]  態様１から５のいずれか一項に記載の制御レバー（１０；１１０）において、さらに、前記光インジケータ手段（４０；１４０）の駆動手段（６０；１６０）と、
前記光インジケータ手段（４０；１４０）のその駆動手段（６０；１６０）と前記自転車における制御電子装置との通信用の送受信モジュールと、
を備える、制御レバー（１０；１１０）。
[態様７]  態様１から６のいずれか一項に記載の制御レバー（１０；１１０）において、前記外側の半シェル（２０）の透明性の前記領域（２８）が、前記外側の半シェル（２０）におけるその他との一体品として形成されている、制御レバー（１０；１１０）。
[態様８]  態様１から６のいずれか一項に記載の制御レバー（１０；１１０）において、前記外側の半シェル（１２０）における透明性の前記領域（１２８）が、前記外側の半シェル（１２０）に形成された開口（１２１）、および透明性の材料から作製された、その開口（１２１）を閉じるカバー（１２９）を含む、制御レバー（１０；１１０）。
[態様９]  態様１から８のいずれか一項に記載の制御レバー（１０；１１０）において、透明性の前記領域（２８）が、この制御レバーの作動状態および休止状態のうちの少なくとも１つにおいて、前記制御レバー（１０）の、運転者側に向く位置に設けられている、制御レバー（１０；１１０）。
[態様１０]  態様１から９のいずれか一項に記載の制御レバー（１０；１１０）において、透明性の前記領域（２８）が、この制御レバーの作動状態および休止状態のうちの少なくとも１つにおいて、前記制御レバー（１１０）の、運転者に対して前方又は遠位側となる位置に設けられている、制御レバー（１０；１１０）。
[態様１１]  態様１から１０のいずれか一項に記載の制御レバー（１０；１１０）において、前記光インジケータ手段（４０）が、支持体（４２）および前記支持体（４２）に設置された複数の発光素子（４４）を含む、制御レバー（１０；１１０）。
[態様１２]  態様１から１０のいずれか一項に記載の制御レバー（１１０）において、前記光インジケータ手段（１４０）が、ＯＬＥＤ（１４４）を含む、制御レバー（１１０）。
[態様１３]  態様１から１２のいずれか一項に記載の制御レバー（１０；１１０）において、前記外側の半シェル（２０；１２０）および前記内側の半シェル（３０，３１０，３２０；１３０，１３１０，１３２０）が、高分子材料のマトリクスと構造繊維とを含む複合材料から作製されている、制御レバー（１０；１１０）。
[態様１４]  自転車の制御レバー（１０；１１０）を製造する方法であって、
−外側の半シェル（２０；１２０）のうちの少なくとも１つの領域（２８；１２８）が透明である、前記外側の半シェル（２０；１２０）を用意する工程と、
−光インジケータ手段（４０；１４０）を前記外側の半シェル（２０；１２０）に挿入し、前記光インジケータ手段（４０；１４０）が、前記外側の半シェル（２０；１２０）における透明性の前記領域（２８）に位置決めされる工程と、
−内側の半シェル（３０，３１０，３２０；１３０，１３１０，１３２０）を前記外側の半シェル（２０；１２０）と少なくとも部分的にオーバラップさせて、その内側の半シェル（３０，３１０，３２０；１３０，１３１０，１３２０）を前記外側の半シェル（２０；１２０）に脱離不能に接続して、前記光インジケータ手段（４０；１４０）が、前記外側の半シェル（２０；１２０）と前記内側の半シェル（３０，３１０，３２０；１３０，１３１０，１３２０）との間に少なくとも部分的に配置される工程と、
を含む、制御レバー（１０；１１０）の製造方法。
[態様１５]  態様１４に記載の方法において、前記内側の半シェル（３０，３１０，３２０；１３０，１３１０，１３２０）が、第１の部位（３１０；１３１０）および第２の部位（３２０；１３２０）を含み、かつ、前記内側の半シェル（３０，３１０，３２０；１３０，１３１０，１３２０）を前記外側の半シェル（２０；１２０）に接続する工程が、−前記内側の半シェル（３０，３１０，３２０；１３０，１３１０，１３２０）における前記第１の部位（３１０；１３１０）および前記第２の部位（３２０；１３２０）のうちの一方を、前記光インジケータ手段（４０；１４０）が前記内側の半シェル（３０，３１０，３２０；１３０，１３１０，１３２０）と前記外側の半シェル（２０；１２０）との間に少なくとも部分的に配置されるように、前記外側の半シェル（２０；１２０）に接続すること、および
−前記内側の半シェル（３０，３１０，３２０；１３０，１３１０，１３２０）における前記第１の部位（３１０；１３１０）および前記第２の部位（３２０；１３２０）のうちの他方を、これら第１の部位（３１０；１３１０）および第２の部位（３２０；１３２０）がそれぞれのオーバラップ領域（３１１，３１９；１３１１，１３１９）を有するように、かつ、前記光インジケータ手段（４０；１４０）の、前記光インジケータ手段（４０；１４０）の電源手段（５０；１５０）および／または駆動手段（６０；１６０）との電気／データ接続手段における端部セクション（４５，１４５）が前記オーバラップ領域（３１１，３１９；１３１１，１３１９）間に延在し且つこれらオーバラップ領域（３１１，３１９；１３１１，１３１９）から延出するように、前記外側の半シェル（２０；１２０）に接続すること、
を有する、制御レバー（１０；１１０）の製造方法。